(57)【要約】【課題】意識しなくても体重の測定が行える体重測定機能付洗面ユニットを提供する。【解決手段】体重測定機能付洗面ユニットは、洗面化粧台の前方の床に埋め込まれた受圧部１２ａを有し、この受圧部１２ａの上に乗った人物の体重を測定する重量センサ１２と、日時を計時する日時計時手段１３と、体重測定時の測定日時を日時計時手段１３から取得し、体重の測定値と測定日時とを対応付けた測定履歴を測定履歴ＤＢ１４に記憶させる判定制御手段１１と、洗面化粧台の鏡に取着され、測定履歴ＤＢ１４に記憶された測定履歴を画面上に表示する画面表示手段１８とを備える。【選択図】図１
2006296481.tif 000002
【特許請求の範囲】
【請求項１】
洗面化粧台が設置された部屋の中で人物が一定時間以上立ち止まる停止領域に設けられ、上に乗った人物の体重を測定する体重測定手段と、日時を計時する日時計時手段と、体重測定時の測定日時を前記日時計時手段から取得し、体重の測定値と測定日時とを対応付けた測定履歴を測定履歴データベースに記憶させる測定履歴登録手段と、洗面化粧台の鏡部に設けられ、前記測定履歴データベースに記憶された測定履歴を画面上に表示する画面表示手段とを備えて成ることを特徴とする体重測定機能付洗面ユニット。
【請求項２】
前記停止領域を洗面化粧台の前方の領域とし、当該停止領域の床に前記体重測定手段が埋め込まれたことを特徴とする請求項１記載の体重測定機能付洗面ユニット。
【請求項３】
前記画面表示手段は洗面化粧台の鏡部に組み込まれ、前記測定履歴をグラフィック表示するモニタ装置からなることを特徴とする請求項１又は２記載の体重測定機能付洗面ユニット。
【請求項４】
体重の判定値を入力する判定値入力手段、及び、前記体重測定手段による体重の測定値が前記判定値を超えると、被測定者に対して体重が判定値を超えたことを報知する報知手段を設けたことを特徴とする請求項１乃至３の何れか１つに記載の体重測定機能付洗面ユニット。
【請求項５】
前記測定履歴データベースに記憶された測定履歴をもとに体重の変化傾向を分析する傾向分析手段、および、前記傾向分析手段により一定期間内の体重の変化量を分析した結果が所定の基準値を超えると、被測定者に対して変化量が基準値を超えたことを報知する報知手段を設けたことを特徴とする請求項１乃至３の何れか１つに記載の体重測定機能付洗面ユニット。
【請求項６】
被測定者が測定前に摂食した食事内容を示す食事情報、又は、被測定者が測定前に行った運動内容を示す運動情報の内の少なくとも何れか一方からなる生活情報を取得する生活情報取得手段を設け、前記測定履歴データベースが、前記生活情報取得手段の取得した生活情報を前記測定履歴と対応付けて記憶し、前記画面表示手段が、前記測定履歴に対応付けて生活情報を画面上に表示することを特徴とする請求項１乃至５の何れか１つに記載の体重測定機能付洗面ユニット。
【請求項７】
複数の料理の調理方法および熱量を記憶した料理データベースと、前記報知手段からの報知があると、料理データベースに記憶された複数の料理の中から報知内容に応じた熱量の料理及びその調理方法を検索する料理検索手段と、料理検索手段により検索された料理及びその調理方法を被測定者に提示する料理提示手段とを設けたことを特徴とする請求項４又は５記載の体重測定機能付洗面ユニット。
【発明の詳細な説明】
【技術分野】
【０００１】
本発明は、被測定者の体重を測定する体重測定機能付洗面ユニットに関するものである。
【背景技術】
【０００２】
従来、被測定者の体重を測定する体重測定装置としては図４に示すような構成を有するものがあった。この体重測定装置３１は体重計量手段３２と画面表示手段３３とを備える。体重計量手段３２は被測定者が上に乗るテーブルを有し、テーブルに乗せられた物体（被測定者）の重量をばねや圧力センサなどの周知の手段で測定し、測定結果を画面表示手段３３に出力する。画面表示手段３３は液晶ディスプレイなどで構成され、体重計量手段１による測定結果を表示する。
【０００３】
また従来より、体重などの生体情報を測定した結果を収集して、生体情報の統計処理を行い、統計処理の結果やその結果に応じた評価を表示手段に表示させるものもあった（例えば特許文献１参照）。
【特許文献１】特開１０−５５３９８号公報
【発明の開示】
【発明が解決しようとする課題】
【０００４】
上述した前者の体重測定装置では、体重を測定するために体重計量手段３２を置いてある場所まで行かねばならず、体重の測定が煩わしいという問題があり、また体重を測定すること自体を忘れてしまう可能性もあった。また後者の体重測定装置では、ユーザが生体情報を統計処理した結果を見たい場合、表示手段の設置場所まで行って、統計処理の結果を表示させる操作を行わねばならず、使い勝手が悪かった。
【０００５】
本発明は上記問題点に鑑みて為されたものであり、その目的とするところは、意識しなくても体重の測定が行え、且つ、測定結果を表示させるための手間を少なくした体重測定機能付洗面ユニットを提供することにある。
【課題を解決するための手段】
【０００６】
上記目的を達成するために、請求項１の発明は、洗面化粧台が設置された部屋の中で人物が一定時間以上立ち止まる停止領域に設けられ、上に乗った人物の体重を測定する体重測定手段と、日時を計時する日時計時手段と、体重測定時の測定日時を日時計時手段から取得し、体重の測定値と測定日時とを対応付けた測定履歴を測定履歴データベースに記憶させる測定履歴登録手段と、洗面化粧台の鏡に設けられ、測定履歴データベースに記憶された測定履歴を画面上に表示する画面表示手段とを備えて成ることを特徴とする。
【０００７】
この発明によれば、ユーザが洗面化粧台が設置された部屋に入り、その部屋の停止領域で停止すると、停止領域に設けられた体重測定手段によりユーザの体重が自動的に測定されるから、ユーザが意識して体重測定を行う必要が無く、体重測定の煩わしさを無くすことができ、また体重を測定し忘れるのを防止できるという効果がある。しかも、測定履歴登録手段が、体重の測定値と日時計時手段から取得した測定日時とを関連づけた測定履歴を測定履歴データベースに記憶させ、測定履歴データベースに記憶された測定履歴が画面表示手段の画面上に表示されるので、画面上に表示された測定履歴をもとにユーザが体重の変化傾向を視覚的に把握して、体重の管理に役立てることができる。そのうえ画面表示手段は洗面化粧台の鏡に一体的に設けられているので、ユーザがその場で体重の変化傾向を把握することができ、測定履歴を確認する手間を少なくできる。
【０００８】
請求項２の発明は、請求項１の発明において、停止領域を洗面化粧台の前方の領域とし、当該停止領域の床に体重測定手段が埋め込まれたことを特徴とする。
【０００９】
この発明によれば、洗面化粧台の前方の床に体重測定手段を埋め込んでいるので、ユーザが洗面化粧台の前に立って洗顔や化粧などを行う間に、体重を自動的に測定することができ、且つ、測定履歴が洗面化粧台の鏡に設けた画面表示手段に表示されるから、その間に測定履歴を確認できる。
【００１０】
請求項３の発明は、請求項１又は２の発明において、画面表示手段は洗面化粧台の鏡部に組み込まれ、測定履歴をグラフィック表示するモニタ装置からなることを特徴とする。
【００１１】
この発明によれば、測定履歴をグラフィック表示しているので測定履歴を視覚によって容易に把握できる。
【００１２】
請求項４の発明は、請求項１乃至３の何れか１つの発明において、体重の判定値を入力する判定値入力手段、及び、体重測定手段による体重の測定値が判定値を超えると、被測定者に対して体重が判定値を超えたことを報知する報知手段を設けたことを特徴とする。
【００１３】
この発明によれば、判定値入力手段により入力された判定値を体重の測定値が超えると、報知手段が報知することによって、体重が判定値を超えたことを被測定者に知らしめて、体重の管理を被測定者に促すことができる。
【００１４】
請求項５の発明は、請求項１乃至３の何れか１つの発明において、測定履歴データベースに記憶された測定履歴をもとに体重の変化傾向を分析する傾向分析手段、および、傾向分析手段により一定期間内の体重の変化量を分析した結果が所定の基準値を超えると、被測定者に対して変化量が基準値を超えたことを報知する報知手段を設けたことを特徴とする。
【００１５】
この発明によれば、傾向分析手段が、測定履歴をもとに一定期間内の体重の変化量を分析した結果が所定の基準値を超えると、報知手段が被測定者に対して報知するので、体重の測定値が基準値を超えて大きく変化したことを被測定者に知らしめて、体重の管理を促すことが出来る。
【００１６】
請求項６の発明は、請求項１乃至５の何れか１つの発明において、被測定者が測定前に摂食した食事内容を示す食事情報、又は、被測定者が測定前に行った運動内容を示す運動情報の内の少なくとも何れか一方からなる生活情報を取得する生活情報取得手段を設け、測定履歴データベースが、生活情報取得手段の取得した生活情報を測定履歴と対応付けて記憶し、画面表示手段が、測定履歴に対応付けて生活情報を画面上に表示することを特徴とする。
【００１７】
この発明によれば、生活情報取得手段により食事情報又は運動情報の内の少なくとも何れか一方からなる生活情報を取得し、取得した生活情報と体重の測定履歴とを対応付けて画面表示手段が画面上に表示させているので、体重の変化傾向を食事情報又は運動情報に関連づけて把握することが出来る。
【００１８】
請求項７の発明は、請求項４又は５の発明において、複数の料理の調理方法および熱量を記憶した料理データベースと、報知手段からの報知があると、料理データベースに記憶された複数の料理の中から報知内容に応じた熱量の料理及びその調理方法を検索する料理検索手段と、料理検索手段により検索された料理及びその調理方法を被測定者に提示する料理提示手段とを設けたことを特徴とする。
【００１９】
この発明によれば、体重の測定値が判定値を超えるか、又は、体重の変化量が基準値を超えて、報知手段からの報知があると、料理検索手段が、料理データベースから報知内容に応じた熱量の料理及び料理方法を検索し、検索した結果を料理提示手段が被測定者に提示しているので、体重管理に適した料理及びその調理方法を被測定者に対して提案することができ、提案された料理及びその調理方法を被測定者が採用することで、体重の管理に役立てることができ、また被測定者自身が報知内容に合わせて料理の内容を考える手間を省くことが出来る。
【発明の効果】
【００２０】
本発明によれば、ユーザが洗面化粧台が設置された部屋に入り、その部屋の停止領域で停止すると、停止領域に設けられた体重測定手段によりユーザの体重が自動的に測定されるから、ユーザが意識して体重測定を行う必要が無く、体重測定の煩わしさを無くすことができ、また体重を測定し忘れるのを防止できるという効果がある。しかも、測定履歴登録手段が、体重の測定値と日時計時手段から取得した測定日時とを関連づけた測定履歴を測定履歴データベースに記憶させ、測定履歴データベースに記憶された測定履歴が画面表示手段の画面上に表示されるので、画面上に表示された測定履歴をもとにユーザが体重の変化傾向を視覚的に把握して、体重の管理に役立てることができる。そのうえ画面表示手段は洗面化粧台の鏡に一体的に設けられているので、ユーザがその場で体重の変化傾向を把握することができ、測定履歴を確認する手間を少なくできるという効果もある。
【発明を実施するための最良の形態】
【００２１】
以下に本発明の実施の形態を図面に基づいて説明する。本発明に係る体重測定機能付洗面ユニットは被測定者に負担をかけることなく、被測定者の体重を測定する機能を備えており、図２に模式的な外観図を示す。
【００２２】
この洗面ユニット１は洗面室などに設置される従来周知の洗面化粧台２を備え、この洗面化粧台２の内部に体重測定装置１０を収納してある。
【００２３】
図１は体重測定装置１０のブロック図であり、この体重測定装置１０は、判定制御手段１１と、重量センサ１２と、日時計時手段１３と、測定履歴データベース（以下、測定履歴ＤＢと略称す）１４と、設定値入力手段１５と、生活情報取得手段１６と、傾向分析手段１７と、画面表示手段１８と、料理検索手段１９と、料理データベース（以下、料理ＤＢと略称す）２０と、料理提示手段２１とを主要な構成として備える。ここに、判定制御手段１１と傾向分析手段１７と料理検索手段１９とはコンピュータの演算機能によって実現され、測定履歴ＤＢ１４および料理ＤＢ２０はコンピュータの備える記憶装置の内部に構築されている。
【００２４】
重量センサ１２は、洗面化粧台２の前方に設定した停止領域の床４に埋め込まれたシート状の受圧部１２ａを有し、受圧部１２ａを埋め込んだ床４の上に物体が乗ったときに受圧部１２ａに加わる圧力を測定することで物体（被測定者）の重量を測定するものであって、測定結果が零でない状態で略一定の値を示した場合に、その測定結果を判定制御手段１１に出力する。ここに、停止領域とは洗面化粧台２が設置された部屋の中で、ユーザが何らかの作業を行うために体重測定に必要な一定時間以上立ち止まる領域のことであり、本実施形態では洗顔や化粧などの作業を行うために立ち止まると予想される洗面化粧台２の前方の床に停止領域を設定してある。なお停止領域を洗面化粧台２の前方の床に限定する趣旨のものではなく、例えば浴室の入口付近の床では浴室のドアを開け閉めするために一時的に立ち止まると予想されるので、浴室の入口の床を停止領域として、この停止領域の床に重量センサ１２を埋め込んでも良く、ユーザが入浴の前後に入口付近を通る際には着衣を身に付けていないので、人物の体重をより正確に測定することができる。
【００２５】
日時計時手段１３は現在の日付と時刻を常に計時しており、計時結果を判定制御手段１１に出力する。なお日時計時手段１３には、利用者が現在の日時を設定する設定手段（図示せず）が設けられており、この設定手段を用いて測定日時を標準時刻に合わせることができる。
【００２６】
判定値入力手段たる設定値入力手段１５は、例えば洗面化粧台２に設けられたテンキーなどの入力装置（図示せず）からなり、この入力装置を用いて被測定者が体重の判定値（目標値）や、体重の変化量の基準値（しきい値）を入力すると、これらの入力値が判定制御手段１１および傾向分析手段１７にそれぞれ出力される。なお、被測定者が体重の判定値や変化量の基準値を音声で入力するようにしても良く、設定値入力手段１５を、洗面化粧台２に設けたスピーカ２２およびマイク２３と、マイク２３で集音した被測定者の音声を音声認識する音声認識手段と、質問メッセージを音声合成してスピーカ２２から出力させる音声合成手段とで構成し、体重の判定値や変化量の基準値を問う質問メッセージを音声合成してスピーカ２２から出力させ、この質問メッセージに対する被測定者の応答をマイク２３で電気信号に変換し、音声認識処理を実行することで、体重の判定値や変化量の基準値を取得する。
【００２７】
生活情報取得手段１６は、被測定者が測定前に摂食した食事のメニューや摂取カロリーなどの食事内容を示す食事情報、および、被測定者が測定前に行った運動内容（例えば測定前までに歩いた歩数など）を示す運動情報からなる生活情報を取得するためのものであり、取得した生活情報（食事情報および運動情報）は判定制御手段１１に出力される。ここで、生活情報取得手段１６は、設定値入力手段１５と同様にテンキーなどの入力装置や音声認識による入力装置で構成すれば良い。また、食事情報や運動情報などの情報は被測定者が自ら入力しなくても良く、後述の料理検索手段１９で検索された料理の熱量をもとに摂取カロリーを推定したり、被測定者が装着した携帯型歩数計数器と通信を行って歩数計数器の計数結果を取得するようにしても良い。なお生活情報取得手段１６では生活情報として食事情報と運動情報の両方を取得しているが、何れか一方のみを取得するようにしても良い。
【００２８】
測定履歴登録手段たる判定制御手段１１は、重量センサ１２から体重の測定値が入力されると、体重の測定値と日時計時手段１３から取得した現在の日時（測定日時）とを対応付けた測定履歴を測定履歴ＤＢ１４に記憶させるとともに、測定履歴ＤＢ１４に記憶させた測定履歴のデータを画面表示手段１８および料理検索手段１９に出力する。また判定制御手段１１では、生活情報取得手段１６から生活情報が入力されると、入力された生活情報と日時計時手段１３から取得した現在の日時とを対応付けて測定履歴ＤＢ１４に記憶させる。ここで、測定履歴ＤＢ１４は、判定制御手段１１から入力された測定履歴や生活情報を一定期間保存するようになっており、表１に１ヶ月分の測定履歴の保存例を示す。なお、１日の内に体重の測定値が複数回入力される場合もあるが、表１では１日の内で最も新しい測定値のみを表示している。
【００２９】
【表１】
2006296481.tif 000003
【００３０】
また判定制御手段１１には設定値入力手段１５から体重の判定値が入力されており、重量センサ１２から入力される体重の測定値と判定値との高低を比較して、測定値が判定値を超えた場合に判定結果を画面表示手段１８および料理検索手段１９に出力する。例えば判定値として体重の上限値が設定されている場合、体重の測定値が上限値を上回ると、判定制御手段１１は太りすぎと判断し、判定結果を画面表示手段１８および料理検索手段１９に出力する。また判定値として体重の下限値が設定されている場合、体重の測定値が下限値を下回ると、判定制御手段１１は痩せすぎと判断し、判定結果を画面表示手段１８および料理検索手段１９に出力する。
【００３１】
傾向分析手段１７には、設定値入力手段１５から体重変化の基準値（しきい値）が入力されており、例えば一定期間あたりの体重の増加量または減少量を示す基準値（ｋｇ／週）が入力されている。また傾向分析手段１７には、判定制御手段１１から体重の測定履歴が所定の期間分入力されており、体重の一定期間当たりの変化量を計算する。ここで、傾向分析手段１７が体重の変化量を計算するに当たっては、日々の体重変化のばらつきによる影響を低減するために、例えば過去一週間の体重測定値の移動平均を算出して、移動平均値の変化量から体重の変化量を求めるのが好ましい。この平均化処理を数式で表すと、以下の式（１）のようになる。ここで、ＷＤは測定日Ｄにおける体重の測定結果、ａｖｒ（ＷＤ）は測定日Ｄにおける平均体重、Ｎは移動平均を求める日数で１週間の移動平均であればＮ＝７、３日間の移動平均であればＮ＝３である。
【００３２】
【数１】
2006296481.tif 000004
【００３３】
傾向分析手段１７が上記の式（１）を用いて体重の移動平均を求めた後、ある測定日の平均値とその１週間前の平均値との差分を求めて、この差分を１週間当たりの変化量として算出し、ある測定日の平均値とその３日前の平均値との差分を求めて、この差分を３日間当たりの変化量として算出する。表２は表１に示す測定履歴をもとに１週間の移動平均を算出して、１週間当たりの変化量を算出した結果と、３日間の移動平均を算出して、３日間当たりの変化量を算出した結果を示している。例えば１月２９日の時点で求めた一週間当たりの平均値は１月２３日から２９日までの７日間の体重の平均値（４８．９３ｋｇ）であり、１週間前（１月２２日）の平均値（４７．７６ｋｇ）から１．２ｋｇ増加している。傾向分析手段１７では、上述のようにして測定日毎に１週間の移動平均と１週間当たりの変化量とを求めており、変化量の基準値が１ｋｇ／週に設定されている場合、１月２９日から３１日までの変化量は基準値を超えているので、変化量が基準値を上回ったことを画面表示手段１８および料理検索手段１９に報知する。なお、傾向分析手段１７では、体重の測定値と同様に、判定制御手段１１から入力された生活情報（食事情報および運動情報）の平均値を算出しても良い。
【００３４】
【表２】
2006296481.tif 000005
【００３５】
また画面表示手段１８は、例えば洗面化粧台２の鏡３（鏡部）に組み込まれた液晶パネルのようなモニタ装置からなり、判定制御手段１１から入力される測定履歴をもとに作成した体重の時間変化を示すグラフや、傾向分析手段１７の分析結果を液晶パネルの表示面にグラフィック表示する。図３は画面表示手段１８が体重の測定履歴をもとに作成したグラフの一例であり、このようなグラフを被測定者に提示することによって、被測定者が体重の変動傾向を視覚的に把握しやすくなる。なお鏡３の一部をハーフミラーに形成し、ハーフミラーの背面側に液晶ディスプレイなどのフラットディスプレイからなる画面表示手段１８を配置しておけば、画面表示手段１８が点灯するとハーフミラーを透過して画面表示手段１８の表示を視認でき、また画面表示手段１８が消灯していれば、鏡３の全面を鏡面として利用することが出来る。
【００３６】
なお判定制御手段１１から画面表示手段１８に当該期間中の食事情報や運動情報が入力された場合には、画面表示手段１８が上述のグラフに食事情報や運動情報を体重の測定値と一緒に表示させても良く、測定前に被測定者が飲食した食事の内容や運動内容と体重の変換傾向とを関連づけて把握することができ、例えば体重増や体重減を招いた食事内容や運動内容を把握することができる。また画面表示手段１８では傾向分析手段１７から入力された体重の平均値を一緒に表示させても良く、日々の測定結果のばらつきを除外した体重の変化傾向を視覚的に把握することが出来る。
【００３７】
また画面表示手段１８では上述のグラフ中に体重の判定値を表示し、体重の測定値が判定値を超えた場合にはその部分を異なる色で表示するなどして、体重が判定値を超えたことを被測定者に報知しても良く、体重が上限値を上回ったり、下限値を下回ったことを被測定者に知らしめて、体重管理を促すことができる。また画面表示手段１８が体重の変化量を示すグラフ（図示せず）を表示する場合に、画面表示手段１８が変化量の基準値をグラフ中に表示して、体重の平均値が平均値を超えて増加又は減少した場合はその部分を異なる色で表示するなどして、基準値を超えて増加又は減少したことを被測定者に報知しても良く、体重が急激に増加又は減少したことを被測定者に知らしめて、体順管理を促すことができる。ここに、画面表示手段１８により、被測定者に対して体重が判定値を超えたことを報知する報知手段や、被測定者に対して変化量が基準値を超えたことを報知する報知手段が構成される。
【００３８】
一方、料理ＤＢ２０には様々な料理の材料名、調理方法、および熱量が予め登録されている。料理検索手段１９は、利用者が検索操作を行うための操作入力部（図示せず）を備えており、操作入力部を用いて利用者が検索条件を入力すると、検索条件に合致する料理を料理ＤＢ２０から検索し、検索した料理を液晶ディスプレイのような料理提示手段２１の画面上に表示させる。また料理検索手段１９には判定制御手段１１や傾向分析手段１７からの報知信号が入力され、報知入力があるとその報知内容に応じた料理を料理ＤＢ２０から検索し、検索した料理を料理提示手段２１の画面上に表示させる。例えば料理検索手段１９では、判定制御手段１１や傾向分析手段１７から体重増を知らせる報知信号が入力された場合は、熱量の少ない料理を料理ＤＢ２０から検索して料理提示手段２１に提示させ、体重減を知らせる報知信号が入力された場合は、熱量の高い料理を料理ＤＢ２０から検索して料理提示手段２１に提示させており、体重管理に適した食事内容を被測定者に提案することができる。
【００３９】
本実施形態の体重測定機能付洗面ユニットは以上のような構成を有しており、重量センサ１２の受圧部１２ａを洗面化粧台２の前方の床に埋め込んでいるので、被測定者が洗顔や洗面のために洗面化粧台２の前方で立ち止まることによって、被測定者が意識しなくても、その体重を自動的に測定することができる。体重を管理する場合、毎日欠かさず体重を測定することが重要であるが、毎日体重を測定するのは煩わしく、また測定し忘れることもある。それに対して本実施形態ではユーザが毎日一定時間立ち止まるような場所、つまり洗面化粧台２の前方の床４に重量センサ１２の受圧部１２ａを埋め込んでいるので、測定の煩わしさを無くすとともに、体重測定を忘れるのを防止できる。しかも測定履歴ＤＢ１４には体重の測定値と測定日時とを対応付けた測定履歴が記憶されており、この測定履歴をもとに作成したグラフを画面表示手段１８に表示させているので、体重の変化傾向を視覚的に把握することができる。さらに判定制御手段１１では、生活情報取得手段１６から取得した生活情報を測定履歴と対応付けて測定履歴ＤＢ１４に記憶させるとともに、画面表示手段１８により体重の測定履歴に対応付けて生活情報を表示させているので、測定前の食事内容や運動内容と体重の変化傾向との関係を視覚的に把握でき、体重の増減を招いた食事内容や運動内容を把握しやすくなる。
【００４０】
また画面表示手段１８では判定制御手段１１または傾向分析手段１７から報知信号が入力されると、体重の測定値が判定値（上限値或いは下限値）よりも増加又は減少したり、体重の測定値が変化量を超えて増加又は減少したことを画面上に表示するので、体重の異常な変化を被測定者に対して知らしめることで、体重の変化傾向をさらに把握しやすくなり、被測定者に体重管理を促すことができる。また料理検索手段１９では、判定制御手段１１または傾向分析手段１７から報知信号が入力されると、報知内容に応じた熱量の料理を料理ＤＢ２０から検索して、検索結果を料理提示手段２１に提示しているので、体重を所望の目標値に管理できるような料理を被測定者に提示することで、被測定者が自分で食事のメニューを考える手間を減らすことができる。
【００４１】
また本実施形態では洗面ユニット１を利用する人物が１人の場合について説明を行ったが、複数人で洗面ユニット１を共用する場合には、例えば被測定者の発する音声で個人を特定する個人識別部を設け、重量センサ１２で測定した体重の測定値を、個人識別部で識別された個々の人物毎に測定履歴ＤＢ１４に登録し、判定制御手段１１が測定履歴ＤＢ１４から個人識別部で識別された人物の履歴情報を読み出して、この人物の測定履歴を画面表示手段１８に表示させれば良い。
【００４２】
なお、本発明の精神と範囲に反することなしに、広範に異なる実施形態を構成することができることは明白なので、この発明は、特定の実施形態に制約されるものではない。
【図面の簡単な説明】
【００４３】
【図１】本実施形態のブロック図である。
【図２】同上の模式的な外観図である。
【図３】同上の表示例の説明図である。
【図４】従来例のブロック図である。
【符号の説明】
【００４４】
１１  判定制御手段
１２  重量センサ
１２ａ  受圧部
１３  日時計時手段
１４  測定履歴ＤＢ
１８  画面表示手段
【図１】
2006296481.tif 000006
【図２】
2006296481.tif 000007
【図３】
2006296481.tif 000008
【図４】
2006296481.tif 000009